(57)【要約】  【課題】自然景観を損ねることなく、藻類が付着した危険箇所側への歩行者の進入を阻止して安全性を確保する。  【解決手段】複数個の護岸ブロック１を階段状に構築して成る緩傾斜護岸堤２において、滑って怪我し易い危険箇所Ｒ１と歩行用通路Ｒ２とに区分し、その境界部分又は危険箇所Ｒ１と対応する護岸ブロック１上に、必要に応じて所定高さの造景擬岩４を一体に固設し、所望により造景擬岩４等の上にソーラ発電型の照明装置１２を取り付け、歩行者が危険箇所Ｒ１内に進入しないように構成する。【選択図】図８
2008038516.tif 000002
【特許請求の範囲】
【請求項１】
複数の護岸ブロックを階段状に構築して成る階段式緩傾斜護岸堤において、滑り易い危険箇所と歩行用通路とに区分するとともに、その境界部分又は前記危険箇所と対応する前記護岸ブロック上に、自然石に酷似する造景擬岩を一体に固設し、該造景擬岩の存在により人間が前記危険箇所に進入しないように構成したことを特徴とする階段式緩傾斜護岸堤。
【請求項２】
上記造景擬岩には、日没時に自動点灯する太陽電池内蔵型発光ダイオード等の照明装置が取り付けられていることを特徴とする請求項１記載の階段式緩傾斜護岸堤。
【請求項３】
複数の護岸ブロックを階段状に構築して成る階段式緩傾斜護岸堤において、滑り易い危険箇所と歩行用通路とに区分するとともに、その境界部分又は前記危険箇所と対応する前記護岸ブロック上に、日没時に自動点灯する太陽電池内蔵型発光ダイオード等の照明装置を取り付けたことを特徴とする階段式緩傾斜護岸堤。
【請求項４】
上記照明装置は危険である旨を文字により点滅表示することを特徴とする請求項２又は３記載の階段式緩傾斜護岸堤。
【請求項５】
複数の護岸ブロックを階段状に構築して成る階段式緩傾斜護岸堤において、滑り易い危険箇所と歩行用通路とに区分するとともに、その境界部分又は前記危険箇所と対応する前記護岸ブロック上に、自然石に酷似する造景擬岩を一体に固設し、該造景擬岩又は前記危険箇所と対応する前記護岸ブロック上に、日没時に自動点灯する太陽電池内蔵型発光ダイオード等の照明装置を取り付けることを特徴とする階段式緩傾斜護岸堤の施工法。
【発明の詳細な説明】
【技術分野】
【０００１】
本発明は階段式緩傾斜護岸堤及びその施工法に関するものであり、特に、歩行者が滑って転び易い危険箇所に進入しないようにした階段式緩傾斜護岸堤及びその施工法に関するものである。
【背景技術】
【０００２】
従来、海岸、河川、湖沼等における緩傾斜護岸堤では、一般に複数のコンクリート製の護岸ブロックを階段状に築造して構成されている。または、現場打設コンクリート階段方式にて築造されている。このような緩傾斜護岸堤においては、水際付近の護岸ブロック表面に藻類などが付着して滑り易くなる。このため、該藻類などが付着しやすい護岸ブロックやコンクリート階段工上を人間が歩行すると、足を滑らせて怪我することがある。
【０００３】
前記滑り易い危険な箇所には、階段のステップ上を滑りにくくするか、人間が進入しないように安全対策を講じる必要がある。かかる安全対策の一つとして、前記危険な箇所と安全な歩行用通路を互いに区分し、看板やサインを設置したり、或いは、その境界部分に大掛かりな安全柵又はガイドレール等を設置することがある（例えば、特許文献１参照）。
【特許文献１】特開平０７−３１０４６３号公報。
【発明の開示】
【発明が解決しようとする課題】
【０００４】
従来技術は、上記危険箇所と歩行用通路の境界部分に大掛かりな安全柵又はガイドレール等を設置するので、施工費が高くなり工期が長期化するうえに、海岸等の自然景観を損ねるという問題があった。又、前記安全柵やガイドレールは往々にして破壊され、安全性を阻害することがある。
【０００５】
そこで、海岸等の自然景観を損ねることなく、水際の危険箇所に人間が進入することを防止し、安全性を確保するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、複数の護岸ブロックを階段状に構築して成る階段式緩傾斜護岸堤において、滑り易い危険箇所と歩行用通路とに区分するとともに、その境界部分又は前記危険箇所と対応する前記護岸ブロック上に、自然石に酷似する造景擬岩を一体に固設し、該造景擬岩の存在により人間が前記危険箇所に進入しないように構成して成る階段式緩傾斜護岸堤を提供する。
【０００７】
この構成によれば、前記滑り易い危険箇所と、安全に歩ける歩行用通路とを区分する境界部分又は前記危険箇所に所定高さ（例えば５０ｃｍ〜１００ｃｍ程度）の造景擬岩を設置したので、この造景擬岩の存在により、人間が歩行用通路から危険箇所へ容易に進入することが阻止される。
【０００８】
請求項２記載の発明は、上記造景擬岩には、日没時に自動点灯する太陽電池内蔵型発光ダイオード等の照明装置が取り付けられている請求項１記載の階段式緩傾斜護岸堤を提供する。                          
【０００９】
この構成によれば、前記照明装置は日没時に自動点灯し、且つ、日照時に自動消灯する。従って、造景擬岩の周囲が暗くなると、照明装置が自動的に発光して造景擬岩を明るく照らす。
【００１０】
請求項３記載の発明は、複数の護岸ブロックを階段状に構築して成る階段式緩傾斜護岸堤において、滑り易い危険箇所と歩行用通路とに区分するとともに、その境界部分又は前記危険箇所と対応する前記護岸ブロック上に、日没時に自動点灯する太陽電池内蔵型発光ダイオード等の照明装置を取り付けて成る階段式緩傾斜護岸堤を提供する。
【００１１】
この構成によれば、上記危険箇所と歩行用通路の境界部分又は該危険箇所に、日没時に自動点灯する照明装置を設けたので、日没後に周囲が暗くなっても、前記境界部分又は危険箇所が明るく照らされる。
【００１２】
請求項４記載の発明は、上記照明装置は危険である旨を文字により点滅表示する請求項２又は３記載の階段式緩傾斜護岸堤を提供する。
【００１３】
この構成によれば、照明装置は複数の発光部を有し、該発光部の点滅発光により、例えば「キケン」という文字を照明表示する。
【００１４】
請求項５記載の発明は、複数の護岸ブロックを階段状に構築して成る階段式緩傾斜護岸堤において、滑り易い危険箇所と歩行用通路とに区分するとともに、その境界部分又は前記危険箇所と対応する前記護岸ブロック上に、自然石に酷似する造景擬岩を一体に固設し、該造景擬岩又は前記危険箇所と対応する前記護岸ブロック上に、日没時に自動点灯する太陽電池内蔵型発光ダイオード等の照明装置を取り付ける階段式緩傾斜護岸堤の施工法を提供する。
【００１５】
この施工法によれば、上記照明装置は日没時に自動点灯して、造景擬岩又は危険箇所が明るく照らされる。
【発明の効果】
【００１６】
請求項１記載の発明は、景観性に優れた造景擬岩により、危険箇所と歩行用通路を互いに区分したので、自然景観を損ねることなく、人間が危険箇所に進入して怪我することを未然に防止することができる。
【００１７】
又、造景擬岩はアンカー金具等を介して、護岸ブロックの所望位置に簡単に固定でき、設計の自由度が向上するうえに、大掛かりな安全柵などを設置する従来方式に比べて、工期の短縮化及び工費の低減化を図ることができる。斯くして、請求項１記載の発明は、特に、海浜施設を新しく築造するのではなく、問題が生じた場所に対する対策工法として最も効果的である。
【００１８】
請求項２記載の発明は、日没後に周囲が暗くなっても、照明装置により造景擬岩がライトアップされるので、請求項１記載の発明の効果に加えて、夜間、危険箇所に人間が進入する恐れがなくなる。
【００１９】
請求項３記載の発明は、日没後に周囲が暗くなっても、危険箇所と歩行用通路の境界部分又は危険箇所が、照明装置によりライトアップされるので、夜間、危険箇所に人間が進入しないように、効果的に注意を喚起するこができる。
【００２０】
請求項４記載の発明は、夜間、照明装置によって「キケン」等の文字が電飾式に点滅表示されるので、請求項２又は３記載の発明の効果に加えて、電飾サインに対する夜間視認性が一層向上し、歩行者は危険箇所の存在を確実に認知することができる。
【００２１】
請求項５記載の発明は、日没後でも造景擬岩又は危険箇所が明るく照らされるので、人間は造景擬岩又は危険箇所の存在を容易に視認でき、特に、夜間において危険箇所に進入するようなことを未然に防止することができる。
【発明を実施するための最良の形態】
【００２２】
本発明は、海岸等の自然景観を損ねることなく、危険箇所への人間の進入を防止し、安全性を確保するという目的を、複数の護岸ブロックを階段状に構築して成る階段式緩傾斜護岸堤において、滑り易い危険箇所と歩行用通路とに区分するとともに、その境界部分又は前記危険箇所と対応する前記護岸ブロック上に、自然石に酷似する造景擬岩を一体に固設し、該造景擬岩によって人間が前記危険箇所に進入しないように構成することにより実現した。
【実施例】
【００２３】
以下、本発明の好適な一実施例を図１乃至図２０に従って説明する。本実施例は、複数の護岸ブロック１を相互連結して階段式の緩傾斜護岸堤２を構築した後、足が滑り易い水際の危険箇所Ｒ１と、歩行者を水際に誘導する歩行用通路Ｒ２とに区分すると共に、その境界部分と対応する護岸ブロック１上に、アンカー金具３付きの造景擬岩４を一体に設置することにより、歩行用通路Ｒ２の外側に危険箇所Ｒ１が存在することを歩行者に報知して、歩行用通路Ｒ２から危険箇所Ｒ１側に歩行者が進入しないように構成したものであり、人工磯の海岸景観を良好に保全することができる。
【００２４】
尚、本実施例は、海岸親水保全施設である緩傾斜護岸堤２に適用したものであるが、階段式緩傾斜護岸堤であれば、河川、湖沼等の護岸堤にも広く適用可能である。
【００２５】
図１及び図２は、造景擬岩４の設置態様例を示すものであって、海５に臨む下側階段Ｓ２，Ｓ３の上面には、造景擬岩４が一体に設置されている。この造景擬岩４は海５側に歩行者を誘導させるための歩行用通路Ｒ２と、該歩行用通路Ｒ２の外側に存在する危険箇所Ｒ１とに区分する境界部分Ｒ２上に配置されている。歩行者が歩行用通路Ｒ２から危険箇所Ｒ１側へ容易に進入できないように、造景擬岩４の高さは、例えば５０ｃｍ〜１００ｃｍ程度に設定するのが好ましい。
【００２６】
ここに、前記危険箇所Ｒ１とは、主に海５に臨む水際の護岸ブロック１に相当する場所であって、該危険箇所Ｒ１の表面には藻類６が付着しているために、人間が歩行すると足を滑らせて転び易く、万一、転倒した際は大怪我をすることがある。
【００２７】
前記造景擬岩４は、予め自然の岩石から型取りしたゴム製又は合成樹脂製の成形型を用いて、該成形型の所定位置にアンカー金具３を数本セットした状態で、流動コンクリートを注入打設後に養生固化して製造したものである。この造景擬岩４は予め工場にて製造される天然岩類似の塊状ブロック体であって、造景擬岩４の下底面にアンカー金具３が一体に固設される。
【００２８】
そして、工場にて製造した造景擬岩４は施工現場まで運搬して、前記境界部分と対応する護岸ブロック１に設置される。該造景擬岩４を設置する際は、前記護岸ブロック１上面の所定位置に、上記アンカー金具３と対応する取付孔７を穿孔した後、該取付孔７に固定剤８を注入する。この固定剤８としては、接着剤、セメントモルタル、コンクリート、樹脂モルタル等を使用することができる。この後、護岸ブロック１に穿孔した取付孔７に造景擬岩４側のアンカー金具３を差し込むことにより、該造景擬岩４を護岸ブロック１に一体に据付けて固定する。
【００２９】
この場合、既設の護岸ブロック１上面と造景擬岩４の合わせ面には、海水に対する造景擬岩４の耐腐食性を高めるために、防水目地材９を介装するのが好ましい。この防水目地材９としては、セメントモルタル、樹脂モルタル、シーリング材等のいずれかを任意に採択して使用できる。
【００３０】
本実施例による具体的な全体構成を図３及び図４に示す。図示例の緩傾斜護岸堤２は、複数個の護岸ブロック１を横一列に相互連結して各階段Ｓ１〜Ｓ１０を構築したものである。この緩傾斜護岸堤２の水際部は、海５に対して斜め方向に形成された歩行用通路Ｒ２と、該歩行用通路Ｒ２の左右両側の危険箇所Ｒ１とに区分し、該危険箇所Ｒ１と対応する階段Ｓ２〜Ｓ５の護岸ブロック１上に、多数の造景擬岩４を一体に設置する。
【００３１】
斯くして、危険箇所Ｒ１に高さ５０ｃｍ〜１００ｃｍの造景擬岩４を一体に設置したので、従来のように、歩行者が危険箇所Ｒ１に進入して怪我することを防止し、且つ、自然な海岸景観を何ら損なうこともない。
【００３２】
又、造景擬岩４のアンカー金具３を護岸ブロック１側の取付孔７に差し込むだけで、護岸ブロック１の所望位置に造景擬岩４を簡単に固定することができる。更に、大掛かりな安全柵やガイドレール等を設置しないので、従来に比べて工期が短縮すると共に工費も低減する。
【００３３】
上記実施形態では、１個の護岸ブロック１当たり１個の造景擬岩４を固定配置したが、これに限らず、図５及び図６に示すように、１個の護岸ブロック１当たり大中小の造景擬岩４を複数個固設したものを使用することができる。
【００３４】
図７及び図８は、大中小の造景擬岩４が上面全域に固設された護岸ブロック１０を使用した形態例である。図示例では、水際の歩行用通路Ｒ２は逆台形状に形成され、該歩行用通路Ｒ２と危険箇所Ｒ１との境界ゾーンに、造景擬岩４を固定して成る護岸ブロック１０が敷設されている。従って、前記造景擬岩４の存在により、歩行者は危険箇所Ｒ１側に容易に進入することができない。
【００３５】
又、図９は、水際の歩行用通路Ｒ２を、耐塩水性等に優れたゴムマット又は樹脂層で上面被覆した護岸ブロック１１により形成した例である。図１０及び図１１に示すように、ゴムマット又は樹脂層１３は、上面に滑止め凹凸模様を有しているため、該上面に藻類が多少付着しても滑りにくい構造になっている。尚、歩行用通路Ｒ２の上面には、藻類の付着を防止するために、防藻効果を有するエポキシ樹脂、シラン系化合物若しくは光触媒（酸化チタン）コーティングを施すこともできる。
【００３６】
更に、図１２及び図１３に示すように、大中小の造景擬岩４の少なくとも１個に、長寿命かつ高輝度の全天候型ソーラ自発光システムの照明装置１２を取り付けることもできる。この照明装置１２は、長期間メンテナンスフリーであって、太陽光により電気エネルギーを発生する発電部と、該発生した電気を蓄電する電気二重層コンデンサと、所定の暗さになるとオン作動する光センサと、該光センサのオン作動により発光するＬＥＤ（発光ダイオード）とから成り、昼間には太陽光により発電して電気二重層コンデンサに充電し、暗くなると光センサの作動により、ＬＥＤが自動的に点滅発光する。
【００３７】
斯くして、造景擬岩４の周囲が暗くなると、照明装置１２が自動的に電飾点滅して造景擬岩４等を照らしてラインアップするので、夜間、歩行者は造景擬岩４の存在を容易に視認して、危険であることについて点滅表示にて注意が喚起される。
【００３８】
次に、照明装置１２の発光により、危険箇所Ｒ１の存在を夜間警告する別の実施態様について説明する。図１４及び図１５は、階段Ｓ１〜Ｓ１０の下段側領域において、水際の危険箇所Ｒ１と歩行用通路Ｒ２とに区分し、該危険箇所Ｒ１と対応する各護岸ブロック１に、前述した太陽電池内蔵型発光ダイオード等の照明装置１２を取り付けたものである。該照明装置１２は、図１６及び図１７に示すように、設計条件に応じて各護岸ブロック１上面の所定位置に１個又は複数個取り付けることができる。
【００３９】
この構成によれば、日没後に周囲が暗くなると、照明装置１２が自動的に点滅発光して危険箇所Ｒ１を照明する。そのため、夜間、危険箇所Ｒ１を歩行者に電飾サインして注意を喚起することができる。
【００４０】
ここで、危険箇所Ｒ１に「危険」である旨の文字（記号）表示がされている場合は、該文字表示の近傍に照明装置１２を配置することにより、該文字表示を夜間ライトアップすることができる。又、複数個の照明装置１２を、例えば、図１８に示すように、「キケン」という文字Ｍの形に配列すれば、照明装置１２の点滅発光により、「キケン」という文字Ｍを電飾看板式にＬＥＤサインして、危険である旨を警告提示することができる。
【００４１】
尚、本実施例に係る緩傾斜護岸堤２の水際部では、場所により藻類の付着が少ない箇所、即ち、危険でない箇所も多く存在する。このような場所においては、図１９及び図２０に示すように、光触媒コーティング等を施した滑止め凹凸模様付き護岸ブロック１１（図１０、図１１参照）を敷設するのが望ましい。この護岸ブロック１１は、藻類が多少付着しても、歩行者が足を滑らせて怪我する恐れはない。この場合でも、周囲の条件等に応じて、照明装置１２を取り付けることにより、当該場所を夜間に照明することができる。
【００４２】
以上説明したように、本発明は、複数個の護岸ブロック１，１１を階段状に構築した後、滑って転び易い危険箇所Ｒ１と歩行用通路Ｒ２とに区分し、その境界部分又は危険箇所Ｒ１と対応する護岸ブロック１，１１上に、必要に応じて所定高さの造景擬岩４を固設し、造景擬岩４又は危険箇所Ｒ１にソーラ発電型照明装置１２を取り付けたものである。従って、歩行者は、造景擬岩４又は危険箇所Ｒ１を夜間でも認識して、危険箇所Ｒ１への進入を回避することができる。
【００４３】
なお、本発明は、本発明の精神を逸脱しない限り種々の改変をなすことができ、そして、本発明が該改変されたものにも及ぶことは当然である。
【図面の簡単な説明】
【００４４】
【図１】本発明の一実施例の造景擬岩の設置態様を示し、造景擬岩に固設したアンカー金具を取り付ける護岸ブロックの箇所を断面した状態の側面図。
【図２】図１の平面図。
【図３】実施例による緩傾斜護岸堤の全体構成を示す側面図。
【図４】図３の平面図。
【図５】本発明に係る複数種類の造景擬岩を固定したタイプの護岸ブロックを示す平面図。
【図６】図５の側面図。
【図７】図５の護岸ブロックを使用した緩傾斜護岸堤の形態例を示す側面図。
【図８】図７の平面図。
【図９】実施例に係る上面被覆構造型の護岸ブロックで歩行用通路を形成した緩傾斜護岸堤の形態例を示す平面図。
【図１０】図９の上面被覆構造型の護岸ブロックを示す平面図。
【図１１】図１０の側面図。
【図１２】実施例に係る照明装置を取り付けた護岸ブロックを示す平面図。
【図１３】図１２の側面図。
【図１４】実施例に係る照明装置を取り付けた護岸ブロックを使用した緩傾斜護岸堤の形態例を示す側面図。
【図１５】図１４の平面図。
【図１６】実施例に係る照明装置を取り付けた他の護岸ブロックを示す平面図。
【図１７】図１６の側面図。
【図１８】実施例に係る滑止め凹凸模様付き護岸ブロックを一部使用した緩傾斜護岸堤の別の形態例を示す側面図。
【図１９】図１８の平面図。
【図２０】実施例に係る照明装置による文字表示の形態例を示す説明図。
【符号の説明】
【００４５】
１    護岸ブロック
２    緩傾斜護岸堤
３    アンカー金具
４    造景擬岩
５    海
６    藻類
７    取付孔
８    固定剤
９    防水目地材
１０  護岸ブロック
１１  護岸ブロック
１２  照明装置（ソーラ発電型ＬＥＤ照明装置）
Ｒ１  危険箇所
Ｒ２  歩行用通路
【図１】
2008038516.tif 000003
【図２】
2008038516.tif 000004
【図３】
2008038516.tif 000005
【図４】
2008038516.tif 000006
【図５】
2008038516.tif 000007
【図６】
2008038516.tif 000008
【図７】
2008038516.tif 000009
【図８】
2008038516.tif 000010
【図９】
2008038516.tif 000011
【図１０】
2008038516.tif 000012
【図１１】
2008038516.tif 000013
【図１２】
2008038516.tif 000014
【図１３】
2008038516.tif 000015
【図１４】
2008038516.tif 000016
【図１５】
2008038516.tif 000017
【図１６】
2008038516.tif 000018
【図１７】
2008038516.tif 000019
【図１８】
2008038516.tif 000020
【図１９】
2008038516.tif 000021
【図２０】
2008038516.tif 000022